(57)【要約】　　　（修正有）【課題】各種の厚さに使用して常に平坦性と安定した保持力を示す紙クリップを提供する。【解決手段】線条材中心で直交する軸線について対称に折り曲げられて第一平面を形成する中央部１１と、中央部の両側に連続して軸線について対称に一旦中央部から離間するが中央部折曲点近傍に戻って後中央部外側に沿って伸びて終端するように順次折り曲げられた第一、第二、第三の各辺部分１２−１，１２−２，１２−３で第一平面と同一の平面内に一対の第二平面を形成する一対の側腕部とを有し、使用時には紙束の一面上に中央部の第一平面を位置させ、両側腕部の第二、第三辺部分による両第二平面を第一平面から平行に離間させて紙束の他面上に位置させ、両第一辺部分は紙束の側縁に沿って両面間を斜交して中央部と側腕部の間に弾性復帰力即ち紙保持力を生じるように構成する。【選択図】　図１
2004098639.tif 000002
【特許請求の範囲】
【請求項１】
一個分の線条材の長さ方向中心で直交する軸線について対称に折り曲げられて第一平面を形成する中央部と、それぞれ中央部両端から延長する線条材を中央部の第一平面と同一の平面内において順次軸線について対称に折り曲げて中央部の両端から一旦両側方向に離間して延長する第一辺部分ならびに中央部の中心部分に再び接近する第二辺部分を介して各々中央部に沿って伸びる第三辺部分で終端すると共にそれぞれ第一平面と同一の平面内に伸びて一対の第二平面を形成する一対の側腕部とを備え、使用時にはクリップする紙束の一面上に中央部が位置し、一対の側腕部の第一辺部分は紙束の側縁に沿って紙束の一面から他面まで斜交して伸び、第二、第三辺部分は第二平面を第一平面から平行に離間して維持して紙束の他面上に位置する線条材製の紙クリップ。
【請求項２】
一対の側腕部の第一辺部分は中央部の軸線に対してそれぞれ直角をなすと共に互いにほぼ一直線をなす請求項１の紙クリップ。
【請求項３】
一対の側腕部の第一辺部分は中央部の軸線に対してそれぞれほぼ４５度をなすと共に互いにほぼ直角である請求項１の紙クリップ。
【発明の詳細な説明】
【０００１】
【産業上の利用分野】
本発明は紙クリップ、特に弾性線条材を折り曲げて互いに連続する少なくとも二つの部分を形成し、これら二つの部分がそれぞれ形成する二つの平面をこれらに直交する方向に離間させたときに生じる弾性復帰力を利用して二つの部分間に複数枚の紙を弾性的に挟持するクリップに関する。更に、本発明の紙クリップは比較的多数枚の紙をそろえて保持する場合や、コーナー部をホチキス等で綴じた複数の書類を同じコーナー部で束ねて保持する場合等に用いて特に有用である。
【０００２】
【従来の技術】
従来の紙クリップには大別して三種類があり、その第一の種類は金属線条材を３か所で順次ほぼ半円形に折り曲げ、同一平面内で内外に接する二つの細長いＵ字形脚部の各一端を２回目の折り曲げでできる半円形の部分で連続させて形成したもので、これらの同一平面内で接する内外両脚部は、それらの平面に直交する方向に相互に離間させた時に連続部分の捩じれで生じる復帰バネ力によって両脚部間に紙を挟み持つことになる。この種の紙クリップは弾性連続部分が小さい半円形であるため、２、３枚から１０〜２０枚程度の比較的少ない枚数の紙を束ねて保持するに適し、概ね小型から中型までの範囲の寸法に形成される。
【０００３】
第二の種類は、上記第一の種類の紙クリップの応用形態として両脚部間の連続部分を直線状にすることにより或る長さを持たせ、紙保持容量を増やす事を計ったものである。この場合も直線状連続部分の長さをあまり大きくする事はなく、上記の小形と中形の中間程度の大きさで使用される。
【０００４】
第三の種類の紙クリップは、或る長さを持った直線状の中央連続部の両端からその同じ側に鋭角に、互いに交差してＸ字状に重なるように線条材を折り曲げて一対の脚部とし、次いでこの第一の折り曲げ点から等距離の第二の折り曲げ点で再び鋭角に、それぞれ他方の脚部の第一の折り曲げ点に向けて折り曲げ、この第一の折り曲げ点から等距離手前の第三の折り曲げ点で両脚部を鈍角に、それぞれの第一の折り曲げ点に向けて折り曲げ、第一の折り曲げ点に近接して終端させて形成される。したがって両脚部は中央接続部の両端から互いに接近する方向に延長し、交差して重なり合う一対のほぼ三角形に形成され、これら三角形の両脚部が区画する二つの面を互いに離間させた時に中央連続部の捩じれで生じる復帰バネ力を利用して両脚部間に紙を挟み持つ。この場合束ねた紙の縁の厚さ方向を斜めに横切る中央連続部が比較的に長いため、この種の言わばＸ字状の紙クリップは上述の物よりも多数枚の紙を保持するに適し、中型から大型の寸法に形成して使用される。
【０００５】
【発明が解決しようとする課題】
上記のいずれの従来の紙クリップにおいても、ほぼＵ字形または三角形の両脚部の長さとそれらの間の半円形または直線状の連続部分の長さとが紙クリップの紙保持容量を決定する。第一の種類の半円形の連続部分の場合には、両脚部を細長いＵ字形としているため、両脚部の連続部の長さは脚部の長さに比して小さなその幅の寸法に限定される。従って連続部の長さを増すには脚部を長大にしなければならない。一方半円形の連続部はその寸法の大小にかかわりなく挟み持つ紙束を半円形の中央に集中させることとなり、紙束が薄ければクリップによって紙の保持部分が波型に変形される。また、紙束が比較的に厚ければ紙束の上面と下面とにそれぞれ接合する両脚部間の連続部はその幅が狭いために紙束の両面間の縁部に沿って直角に近い位置になり、それによって両脚部に与えられる線条材の捩じれがほぼ最大となり、両脚部の自由端側は紙面に対して平らに押しつけられるが連続部に連なる側は捩じれて部分的に浮き上がってしまう。このような紙束は単独でも、また多数を積重ねた場合でも紙束の平坦性を失う。
【０００６】
第二の種類のように連続部分を直線状にした場合も、上述のようにその長さには限度があるため、適切な枚数の紙に対してはこの接続部分は紙束の縁に沿って両面間をほぼ斜めに横切ることになるため、線条材の捩じれは上記よりも比較的に弱くなるが、紙束が厚くなれば連続部分は紙の両面に対し直角に近くなり、上記と同様な両脚部の部分的な浮上がりも避けられない。
【０００７】
第三の種類のほぼ三角形とした互いに交差する両脚部を有する紙クリップの場合には、直線状の連続部分がかなり長いため、かなりの枚数の紙束に用いても紙束の縁において紙の両面間を斜交する状態が保たれ、復帰バネ力も過大とならずに適度に保たれる。一方、この紙クリップはかなり厚い紙束にも用い得るが、ある程度以上の厚さになると復帰バネ力が過大となり、各脚部の一部が浮き上がって平坦性を失うばかりでなく、脚部の紙面との摩擦が減じられて紙クリップ全体が滑り、クリップ位置から外れてしまう。また、通常は重なって圧接している両脚部を離間させて置く使用状態を長時間続ければ両脚部は変形して復帰バネ力を減じ、離間したままとなってもはや使用不能となる。これを原状に復するには、両脚部が上記第一の種類のように同一平面内にないため、Ｘ字状の交差位置から逆Ｕ字状のように両脚部を一旦横に拡げて交差関係を解き、この位置で各脚部を連続部分について交差位置における圧接方向に捩じり込んだうえ、再び元のＸ字状の交差位置に戻すと言う繁雑な手作業が必要である。
【０００８】
また、上記の第一の種類から第三の種類までの従来の紙クリップに共通する課題として、特に紙束のコーナー部分に使用するに適した紙クリップがない点が挙げられる。左横書きの書類の場合、紙クリップは通常紙束の上部左角近くで用いるが、この様にクリップした書類の２枚目以降の上部左角近くの記載を支障なく見るには、紙クリップはできる限り左角近くに位置することが求められる。一方クリップする紙束が上部左角をホチキスで綴じた複数の書類を含む場合、紙クリップはホチキス位置を避けて使用しなければならず、望ましい状態は得られないのが現状であり、特に紙束の角部に有効に用い得るものは皆無である。
【０００９】
本発明はこれらの問題を解決して、２、３枚の少ない枚数から２０〜３０枚或いはさらに多くの枚数の紙束について使用できる、つまり従来の小形、中形そして大形の全ての寸法において支障なく使用可能な紙クリップを提供することを目的とする。
【００１０】
本発明は更に、比較的に多い枚数の紙に使用しても紙面に対する平坦性を保って常に安定した使用効果が得られる紙クリップを提供することを目的とする。
【００１１】
本発明は更に、紙の両面のそれぞれに面する各部分とそれら連続する部分が交差したり重なったりする事なく、いずれも同一の平面内で形成されて、多数枚の紙に使用して変形した場合の復元も各部分を同一平面に戻すのみの簡単な手作業ですむ紙クリップを提供することを目的とする。
【００１２】
本発明が更に目的とするところは特に紙束の角部に使用して有用な紙クリップの提供にある。
【００１３】
【課題を解決するための手段】
本発明によれば上記の課題は、一個分の線条材の長さ方向中心で直交する軸線について対称に折り曲げられて第一平面を形成する中央部と、それぞれ中央部両端から延長する線条材を中央部の第一平面と同一の平面内において順次軸線について対称に折り曲げられて中央部の両端から一旦両側方向に離間して延長する第一辺部分ならびに中央部の中心部分に再び接近する第二辺部分を介して各々中央部に沿って伸びる第三辺部分で終端すると共にそれぞれ第一平面と同一の平面内に伸びて一対の第二平面を形成する一対の側腕部とを備え、使用時にはクリップする紙束の一面上に中央部が位置し、一対の側腕部の第一辺部分は紙束の側縁に沿って紙束の一面から他面まで斜交して伸び、第二、第三辺部分は第二平面を第一平面から平行に離間して維持して紙束の他面上に位置する線条材製の紙クリップによって解決される。
【００１４】
【実施例１】
図１は紙束の一側縁に対して用いるに適した本発明による第一の実施例の紙クリップ１０を示し、ここでは使用前または不使用時の平らな状態にある。紙クリップ１０は、ここでは線条材をほぼＵ字形に折り曲げた両脚部分で第一の平面を形成する中央部１１と、中央部両脚部分の両端から左右両側に対称的に連続して折り曲げて一対の第二の平面を形成した一対の側腕部１２ａ，１２ｂとでなり、中央部１１の第一平面と側腕部１２ａ，１２ｂの第二平面とは同一の平面内に形成される。線条材としては例えば通常用いられる軟鉄ワイヤの様な金属ワイヤが使用される。
【００１５】
この紙クリップ１０の作成には、１個分の長さの線条材のほぼ中心点ｃで長さ方向に直交する軸線ａについて線条材の両側をほぼＵ字状に折り曲げてまず中央部１１を形成する。更にその両脚部分の、中心点ｃから等距離の第一折曲点ｉで左右に、軸線ａに対して直角にかつ互いに一直線に整合するように線条材の両側部分を折り曲げて、三角形の両側腕部１２ａ，１２ｂの各々の第一辺部分１２−１とする。次いで第一折曲点から等距離の第二折曲点ｉｉで、各第一辺部分の外側部分を中心点ｃに接近する方向に鋭角に折り曲げて側腕部の各第二辺部分１２−２とする。最後に、中央部１１の折曲部１１ａに近接しかつ第二折曲点ｉｉから等距離の第三折曲点ｉｉｉで鋭角に線条材の残りの部分を第一折曲点ｉに向けて折り曲げ、中央部１１の両脚部分の外側に沿って伸びて第一折曲点ｉの近傍で終端する側腕部１２ａ，１２ｂの各第三辺部分１２−３とする。この場合、側腕部１２ａ，１２ｂの軸線ａ方向の長さを図１に示すように中央部１１の長さよりやや大にすることが便宜であるが、同じ長さとしても、或いは中央部を側腕部より長くしても良い。
【００１６】
この図１の実施例の紙クリップ１０は図２および３に示すようにクリップする紙束Ｐの直線縁辺に対して使用するに適する。使用者はまず中央部１１を保持して側腕部１２ａ，１２ｂのいずれか一方または両方の第三折曲点ｉｉｉ近傍の先端部分を紙束Ｐの一面、この場合図２または図３において下面に当て、次いで中央部１１の折曲部分１１ａを紙束Ｐの他面、この場合上面に当て、側腕部のそれぞれの第一辺部分１２−１が紙束Ｐの側縁面に当接するまで紙クリップ１０全体を紙束Ｐの両面に沿って押し込む。その時、図２及び３に点線で示すように、両側腕部１２ａ，１２ｂの第二辺部分１２−２と第三辺部分１２−３は紙束Ｐの下面に、中央部１１はその上面に、それぞれ平坦に当接し、両側腕部のそれぞれの第一辺部分１２−１は紙束Ｐの側縁面に沿って上下面間で斜めに伸びる。言い換えれば、中央部１１と両側腕部１２ａ，１２ｂの第二辺、第三辺部分１２−２，１２−３とは、それらの間を連結する両第一辺部分１２−１を第一、第二折曲点ｉ，ｉｉにおいて捻転させて斜交させることにより、それぞれの平面に直交する方向に、互いに平行して離間するが、ここで捻転斜交状態にある両第一辺部分１２−１には弾性復帰力が生じており、この復帰力が中央部１１と両側腕部第二、第三辺部分１２−２，１２−３とを元の同一平面状態に戻す方向に作用し、平行離間する第一平面と第二平面の間に紙束を保持するバネ力を生じさせる。
【００１７】
両側腕部の第一辺部分１２−１の捻転斜交による弾性復帰力は紙束Ｐの面に対する斜交の度合いが大きいほど強くなる、つまりクリップする紙束が厚い程この紙クリップの紙保持力は増すが、本発明の更に重要な特徴として注目すべきことは、側腕部１２ａ，１２ｂが中央部１１の両側に対称に設けられる事により弾性復帰力が中央部１１の両側において均等に生じることである。これによって本発明の紙クリップの紙保持力が倍増するばかりでなく、両側腕部の第二、第三辺部分１２−２，１２−３と中央部１１のそれぞれが常に平らに各紙面に当接する事となる。特に第一辺部分１２−１の第二折曲点ｉｉにおける捻転によるバネ力は第三辺部分１２−３の終端部分を紙面に押しつける方向に働くから、従来の紙クリップにおけるような紙束の厚さが増した場合に生じる紙クリップの一部の浮き上がりと、それに伴うクリップと紙面との接触面減少による紙クリップの滑りと脱落が皆無となる。
【００１８】
【実施例２】
図４は本発明の第二の実施例による紙クリップ２０を使用前における平坦な状態の平面図で示す。この紙クリップ２０は特に紙束の角部に使用するに適した構成を有し、実施例１における紙クリップ１０との差異は、側腕部２２ａ，２２ｂの両第一辺部分２２−１が第一折曲点ｉにおいて中央部２１の軸線ａに対し直角を越えて４５度となるように折り曲げられ、従って両第一辺部分が互いに直角を成すことにある。他の点、つまり第二折曲点ｉｉにおいて第二辺部分２２−２が中央部２１の折曲部分２１ａ付近に向かうように折り曲げられ、中央部折曲部分２１付近の第三折曲点ｉｉｉにおいて第三辺部分２２−３が中央部２１の両脚の外側にほぼ沿って伸びるように折り曲げられる点、そして紙クリップの不使用時において中央部の第一平面と側腕部の第二平面が同一の平面を占める点は実施例１の場合と同じである。
【００１９】
使用の際には、図５及び６に示すように、紙クリップ２０の中央部２１を紙束Ｐの角部Ｃにおける一面、図において上面に、両側腕部２２ａ，２２ｂの一方の第二、第三辺部分２２−２，２２−３を角部Ｃの一方の側の、また他方の第二、第三辺部分２２−２，２２−３を角部Ｃの他方の側の他面、図において下面にそれぞれ当接させれば、両側腕部の各第一辺部分２２−１は第一と第二の折曲点ｉ及びｉｉにおいて捻転されて、紙束Ｐの直交して隣接する二つの側縁面に沿って斜交して両面間に伸びる。この位置において各第一辺部分２２−１が両側腕部の第二、第三辺部分２２−２，２２−３の第二平面と中央部２１の第一平面とを互いに平行な離間状態から同一平面となる状態に復帰させる弾性力を生じ、それによってこの紙クリップ２０が紙束Ｐを安定してクリップするように作用することは実施例１の場合と全く同様であるが、図５の平面図から明きらかなように、この紙クリップ２０は紙束Ｐの角部Ｃの互いに隣接直交する両側縁に対称的に、そして均一に作用して完全に角部Ｃにおいて紙束Ｐを確実安定に保持し得る事を顕著な特徴とする。
【００２０】
実施例１及び２では中央部１１，２１の折曲部１１ａ，２１ａを最も一般的な例として半円形にしたものを示すが、これに限らず例えば角形或いはＶ字形の折曲部とすることもできる。更には両側腕部１２ａ，１２ｂ；２２ａ，２２ｂの形状も後述するように各種変形をとりうるが、要は、両側腕部が第一辺部分１２−１；２２−１において中央部から対称的にかつ同一平面内において一旦離間してある長さに亘って伸び、第二、第三辺部分１２−２，１２−３；２２−２，２２−３において再び中央部の両側に戻ってこれに隣接するに至れば良い。
【００２１】
従って両側腕部の第一辺部分を互いに一直線とする実施例１の変更例として、図１では側腕部１２ａ，１２ｂのそれぞれの第二辺部分１２−２と第三辺部分１２−３を相互にＶ字形としてほぼ三角形に形成するが、例えば図７に示すように第二折曲点ｉｉにおける第二辺部分１２−２の第一辺部分１２−１に対する折り曲げ角度を直角とし、第三折曲点ｉｉｉにおける折り曲げを半円形として各側腕部を長めのＤ字形とし、これをＵ字形の中央部と組み合わせて３個のほぼＵ字形を並べた形状としても良い。更に、図１において中央部の両脚部分は軸線ａの両側に離間するが、図８に示すように両脚部分を互いに隣接させても良い。これは図７の場合においても同様にすることができる。また、図９のように中央部をＶ字形とし、両側腕部の三角形をＶ字の両脚部分に添わせるようにしても良い。あるいはまた図１０のように中央部を逆Ｖ字形として両側腕部と共に三つの三角形を並べた形状とすることもできる。ひいては、図１１のように中央部をほぼ円形とし、側腕部の第三辺部分を円形中央部に沿うアーク状としても良い。
【００２２】
両側腕部の第一辺部分が互いに直角となる図４の実施例２の変更例としては、図１２の様に中央部をもＶ字形に形成して、両側腕部の第二、第三辺部分と共に３個のＶ字形を並べた形態がある。この場合中央部の両脚部分が大きく開いていることによって、例えば数枚ずつホチキスで角部を綴じた複数の紙束を重ね、これを本実施例の紙クリップでクリップする時は、多数のホチキス針による紙束の膨らみ部分を紙クリップの中央部内に位置させ、角部を安定してクリップすることができる。その意味で、図１３のように中央部の両脚部分を互いに直角としてほぼＬ字形となるようにすれば、この効果が充分に発揮されるのみでなく、使用したときに中央部は紙束の角部の内側において直角に表れ、安定観のある美観も生じる。またこれら中央部をＶ字形またはＬ字形とした場合、図１４に示すように両側腕部をＵ字形とすることもできる。更には図１５の様に中央部をＣ字形、つまり一部を切り欠いた円形とし、両側腕部の第三辺部分をＣ字形の外側に沿う円弧状としても良い。
【００２３】
いずれの場合も、本発明の紙クリップにおいてはクリップすべき紙束の一方の面上に載る中央部の作る第一平面と、その両側方において同じ紙束の他方の面に載る両側腕部の特に第二、第三辺部分がそれぞれ作る一対の第二平面とが、紙クリップの不使用時においては一平面内に在るが、使用時には側腕部の各第一辺部分を介して互いに紙束の厚さ方向に平行に離間し得る構成が取られるることが必要であり、これが満足される限り中央部とその両側腕部は種々の形状にする事が可能である。
【００２４】
また上記したいずれの実施例と変更例においても両側腕部は比較的に長い第一辺部分を有するものとして示してあるが、これは比較的に厚い紙束をクリップするに適した構成とするためである。そしてこの構成のままでも薄い紙束に対して充分に使用可能であるが、薄い紙束への使用のみを意図すれば第一辺部分は図示の例より短くしても良い。
【００２５】
【発明の効果】
本発明の線条材製紙クリップによれば、紙束の一面に載る第一平面を形成する中央部の両側において、不使用時には第一平面と同一の平面内にあるが使用時には第一平面と平行に離間して紙束の他面に載る二つの第二平面を有する一対の側腕部が設けられ、側腕部の第一辺部分は使用時に第二平面を常に第一平面と同一の平面に復帰させようとする弾性復帰力を均等にかつ平衡に生じ、この弾性復帰力は紙束が厚さを増すにつれて、つまり側腕部の第一辺部分の紙面に対する斜交角度が大きくなると共に強さを増し、そのため従来よりも強力でしかも安定した紙保持力が得られる。
【００２６】
紙束の両面のそれぞれに載る中央部の第一平面と両側腕部の二つの第二平面とは同一の平面内に形成され、互いに交差したり重なったりする部分を含まないため、厚い紙束に対し長期間使用して側腕部の第一辺部分両端の折曲部分が変形して側方平面が中央平面と同一の平面に復帰し得ない場合には、使用者が折曲部分の変形を手で平坦化するのみで簡単に復元可能である。
【００２７】
弾性復帰力が大きくなることはまた本発明の紙クリップを製造する線条材を従来のものより細くしても充分な紙保持力が得られる事となり、製造原価を下げる事が可能となる。
【００２８】
使用時に紙束の側縁に沿って紙束両面間を斜交して伸びる両側腕部の第一辺部分は、中央部の軸線について対称の関係において、互いに直線整合して形成されれば従来の紙クリップと同様に紙束の一側縁に対してより向上したクリップ性能を持って使用でき、また、互いに直角となるように形成されれば従来の紙クリップではクリップし得なかった紙束の角部に完全に適応して上記と全く同様の向上したクリップ性能と共に使用できる。
【００２９】
【図面の簡単な説明】
【図１】図１は本発明の実施例１による紙束側縁用の紙クリップの不使用時における平面図。
【図２】図２は図１の紙クリップの使用状態における平面図。
【図３】図３は図１の紙クリップの使用状態における斜視図。
【図４】図４は本発明の実施例２による紙束角部用の紙クリップの不使用時における平面図。
【図５】図５は図４の紙クリップの使用状態における平面図。
【図６】図６は図４の紙クリップの使用状態における斜視図。
【図７−図１１】図７−図１１はそれぞれ図１の実施例１による紙束側縁用の紙クリップの各種変更形態における不使用時の平面図。
【図１２−図１５】図１２−図１５はそれぞれ図４の実施例２による紙束角部用の紙クリップの各種変更形態における不使用時の平面図。
【符号の説明】
１０；２０　　　　　　　　　　　紙クリップ
１１；２１　　　　　　　　　　　中央部
１２ａ，１２ｂ；２２ａ，２２ｂ　側腕部
１２−１；２２−１　　　　　　　第一辺部分
１２−２；２２−２　　　　　　　第二辺部分
１２−３；２２−３　　　　　　　第三辺部分
ａ　　　　　　　　　　　　　　　中央部軸線
ｃ　　　　　　　　　　　　　　　中心点
Ｐ　　　　　　　　　　　　　　　紙束
Ｃ　　　　　　　　　　　　　　　角部
【図１】
2004098639.tif 000003
【図２】
2004098639.tif 000004
【図３】
2004098639.tif 000005
【図４】
2004098639.tif 000006
【図５】
2004098639.tif 000007
【図６】
2004098639.tif 000008
【図７】
2004098639.tif 000009
【図８】
2004098639.tif 000010
【図９】
2004098639.tif 000011
【図１０】
2004098639.tif 000012
【図１１】
2004098639.tif 000013
【図１２】
2004098639.tif 000014
【図１３】
2004098639.tif 000015
【図１４】
2004098639.tif 000016
【図１５】
2004098639.tif 000017